(57)【要約】【課題】  本発明はバック内に出入可能に収納された板状の支持体の任意の位置に、バック内に収納する小物を両面接着テープを用いた小物取付具で取付けることにより、板状の支持体のどの位置にでも容易に、確実に支持させて整理することができるとともに、低コストで製造することができ、かつ使用者に安価で、気軽に使用することができるバック用小物整理具を得るにある。【解決手段】  バック内に出入可能に収納することができる板状の支持体と、この板状の支持体の任意の部位に前記バック内に収納する小物を着脱可能に取付けることができる、少なくとも両面接着テープを用いた小物取付具とでバック用小物整理具を構成している。【選択図】  図１
2010082343.tif 000002
【特許請求の範囲】
【請求項１】
バック内に出入可能に収納することができる板状の支持体と、この板状の支持体の任意の部位に前記バック内に収納する小物を着脱可能に取付けることができる、少なくとも両面接着テープを用いた小物取付具とからなることを特徴とするバック用小物整理具。
【請求項２】
板状の支持体は板状の支持体本体と、この板状の支持体本体の下端部に固定された、該板状の支持体本体に取付けられた小物を覆うことができるカバーとで構成されていることを特徴とする請求項１記載のバック用小物整理具。
【請求項３】
小物取付具は一側面が板状の支持体の任意の部位に取付けられ、他側面がバック内に収納する小物に貼り付けられる両面接着テープであることを特徴とする請求項１記載のバック用小物整理具。
【請求項４】
小物取付具は板状の支持体の任意の部位に両面接着テープで固定されたバック内に収納する小物を着脱可能に保持することができる小物保持ケースで構成されていることを特徴とする請求項１記載のバック用小物整理具。
【請求項５】
板状の支持体は板状の支持体本体と、この板状の支持体本体の下部寄りの部位に設けられた、上方が開口する剥離紙で覆われた両面接着テープを収納する両面接着テープ収納ポケットとで構成されていることを特徴とする請求項３または請求項４記載のバック用小物整理具。
【発明の詳細な説明】
【技術分野】
【０００１】
本発明は手提げかばんやハンドバック等のバック内に出入可能に収納する小物を整理した状態にできるバック用小物整理具に関する。
【背景技術】
【０００２】
従来、バック内に出入自在に収納できる面ファスナーが固定された取付基板と、この取付基板に面ファスナーで着脱可能に取付けられる物品を収納し、あるいは定着させる等により保持して所定の位置に留め置くポケット等の保持手段等とで構成されている。
【０００３】
このため、バック内に収納する物品に応じたポケット等の保持手段が必要で、多種類のポケット等の保持手段を用意しておかなければならず、コスト高になるという欠点があった。
また、収納する物品に応じたポケット等の保持手段を用いなければポケット等の保持手段に収納保持させた物品が、ポケット等の保持手段内で揺れ動いたり、脱落してバック内に散らばってしまうという欠点があった。
【特許文献１】特開平１１−３２８２８
【発明の開示】
【発明が解決しようとする課題】
【０００４】
本発明は以上のような従来の欠点に鑑み、バック内に出入可能に収納された板状の支持体の任意の位置に、バック内に収納する小物を両面接着テープを用いた小物取付具で取付けることにより、板状の支持体のどの位置にでも容易に、確実に支持させて整理することができるとともに、低コストで製造することができ、かつ使用者に安価で、気軽に使用することができるバック用小物整理具を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明はバック内に出入可能に収納することができる板状の支持体と、この板状の支持体の任意の部位に前記バック内に収納する小物を着脱可能に取付けることができる、少なくとも両面接着テープを用いた小物取付具とでバック用小物整理具を構成している。
【発明の効果】
【０００７】
以上の説明から明らかなように、本発明にあっては次に列挙する効果が得られる。
【０００８】
（１）バック内に出入可能に収納することができる板状の支持体と、この板状の支持体の任意の部位に前記バック内に収納する小物を着脱可能に取付けることができる、少なくとも両面接着テープを用いた小物取付具とでバック用小物整理具とで構成されているので、バック内に収納する筆記具、消しゴム、各種カード、メモ用紙等の小物を板状の支持体の任意の部位に取付けられた、少なくとも両面接着テープを用いた小物取付具に着脱可能に取付けることができる。
したがって、バック内に収納する小物を使用者が最適に使用できる板状の支持体の部位に着脱可能に取付け、整理状態で収納することができる。
【０００９】
（２）前記（１）によって、小物取付具は少なくとも両面接着テープでよいので、両面接着テープだけで小物取付具を構成する場合、非常に安価で、板状の支持体のどんな部位にでも、どんな小物でも着脱可能に取付けることができ、かつ、きわめて容易に取り出すことができる。
【００１０】
（３）前記（１）により、板状の支持体に小物をそれぞれ少なくとも両面接着テープを用いた小物取付具で着脱可能に取付けることができるので、バック内で板状の支持体に着脱可能に取付けられた小物が動いたり、移動したりするのを確実に防止することができる。
【００１１】
（４）請求項２も前記（１）〜（３）と同様な効果が得られるとともに、カバーによって板状の支持体本体に着脱可能に取付けられた小物が脱落するのを効率よく阻止することができる。
【００１２】
（５）請求項３も前記（１）〜（３）と同様な効果が得られる。
【００１３】
（６）請求項４も前記（１）、（３）と同様な効果が得られる。
【００１４】
（７）請求項５も前記（１）〜（３）と同様な効果が得られるとともに、両面接着テープを探すことなく、順次容易に使用することができる。
【発明を実施するための最良の形態】
【００１５】
以下、図面に示す本発明を実施するための最良の形態により、本発明を詳細に説明する。
【００１６】
図１ないし図８に示す本発明を実施するための最良の第１の形態において、１は手提げかばんやハンドバック等のバック２内に出入可能に収納することができる本発明のバック用小物整理具で、このバック用小物整理具１は前記バック２内へ出入可能な大きさに形成された厚紙や台紙状の厚さの合成樹脂板製、非金属材製、アルミ等の金属材製の支持体本体３、この支持体本体３の下端部に下端部が接着剤等で固定された、該支持体本体３の表面を覆い、上端が支持体本体３の背面へ折り曲げられ、その中央部に切り欠き４により形成された引き出し用の突片５を有する透明合成樹脂材製のカバー６とからなる支持体７と、この支持体７の支持体本体３の表面の下部位置に取付けられた両面を剥離紙８、８で覆った小物取付具としての両面接着テープ９を多数個収納しておくことができる両面接着テープ収納ポケット１０とで構成されている。
【００１７】
前記小物取付具としての両面接着テープ９は、図８に示すように厚さが０．２ｍｍ以上あるゴムのような弾性力のあるものが使用されている。
【００１８】
上記構成のバック用小物整理具１はバック２内に収納する筆記具、消しゴム、各種のカード、メモ用紙等の小物１１を両面接着テープ収納ポケット１０に収納された小物取付具としての両面接着テープ９の両面の剥離紙８、８を除去して、両面接着テープ９の一方を支持体本体３の任意の部位に接着固定し、他方に収納する小物１１を接着固定して、整理状態に取付ける。
バック２内へ収納する場合、支持体本体３の表面に取付けられた小物１１をカバー６で覆い、引き出し用の突片５が上部に位置するようにして、バック２内へ収納する。
使用する場合、バック２内より引き出し用の突片５をつまんで引き出し、カバー６を開放して、両面接着テープ９より小物１１を取り外して使用する。
使用後は元の両面接着テープ９に使用した小物１１を接着固定する。
このため、バック２内に収納する小物１１をバック用小物整理具１で整理された状態で収納保管することができる。
[発明を実施するための異なる形態]
【００１９】
次に、図９ないし図２５に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２０】
図９ないし図１２に示す本発明を実施するための第２の形態において、前記本発明を実施するための最良の第１の形態と主に異なる点は、小物１１が接着固定される面の両面接着テープ９Ａの剥離紙８を複数個に分離できるように切り欠き１２、１２を形成したものを用いた点で、このように構成した小物取付具としての両面接着テープ９Ａは、小物１１との接着力よりも大きな接着力で支持体本体３に接着固定することができ、小物１１に両面接着テープ９Ａが接着された状態での取り外しを確実に防止することができるバック用小物整理具１Ａにできる。
【００２１】
図１３ないし図１５に示す本発明を実施するための第３の形態において、前記本発明を実施するための最良の第１の形態と主に異なる点は、小物１１が接着される小物接着面１３の接着力よりも支持体本体３に接着される支持体本体接着面１４の接着力が強い両面接着テープ９Ｂを用いた点で、このように構成された小物取付具としての両面接着テープ９Ｂを用いても、前記本発明を実施するための最良の第１の形態と同様な作用効果が得られるとともに、小物１１の取り外し時に、小物１１に両面接着テープ９Ｂが付着してくるのを確実に防止することができるバック用小物整理具１Ｂにできる。
なお、この両面接着テープ９Ｂを用いる場合、両面接着テープ９Ｂの両面の剥離紙８、８にどちらの面を支持体本体３あるいは小物１１側へ取付けるかの表示をしておくと、誤って使用するのを防止できる。
【００２２】
図１６ないし図１８に示す本発明を実施するための第４の形態において、前記本発明を実施するための最良の第１の形態と主に異なる点は、支持体本体３に支持される主要な小物１１の輪郭１５と表面に剥離紙８が貼着された両面接着テープ９をあらかじめ接着固定しておくとともに、その他の支持体本体３に両面接着テープ収納ポケット１０に収納された両面接着テープ９を用いて、携帯電話機や計算機等の使用者専用の小物１１を着脱可能に取付けるようにした点で、このように構成したバック用小物整理具１Ｃにしても、前記本発明を実施するための最良の第１の形態と同様な作用効果が得られる。
【００２３】
図１９ないし図２１に示す本発明を実施するための第５の形態において、前記本発明を実施するための最良の第１の形態と主に異なる点は、カバーを使用しない浅皿状の支持体７Ａを用いた点で、このような支持体７Ａを用いて構成したバック用小物整理具１Ｄにしても、前記本発明を実施するための最良の第１の形態と同様な作用効果が得られる。
【００２４】
図２２ないし図２５に示す本発明を実施するための第６の形態において、前記本発明を実施するための最良の第１の形態と主に異なる点は、両面接着テープ９を用いてコンパクト１６を収納するコンパクト収納ケース１７や筆記具１８を支持する筆記具支持具１９等の小物取付具２０を支持体本体３の任意の部位に着脱可能に取付けた点で、このような小物取付具２０を用いて構成したバック用小物整理具１Ｅにしても、前記本発明を実施するための最良の第１の形態と同様な作用効果が得られる。
なお、本発明の実施の形態では支持体本体３に小物取付具２０だけを使用したバック用小物整理具にしてもよく、あるいは支持体本体３に小物取付具２０と小物取付具としての両面接着テープ９、９Ａ、９Ｂとの両方を備えたバック用小物整理具にしてもよい。
【００２５】
なお、前記本発明を実施するための各実施の形態では、支持体本体やカバーを合成樹脂材製のものを用いるものについて説明したが、本発明はこれに限らず、厚紙や台紙として使用できるものであれば、どんな材質であってもよい。
【産業上の利用可能性】
【００２６】
本発明は手提げかばんやハンドバック等のバック内に出入可能に収納することができるバック用小物整理具を製造する産業で利用される。
【図面の簡単な説明】
【００２７】
【図１】本発明を実施するための最良の第１の形態の使用状態の説明図。
【図２】本発明を実施するための最良の第１の形態のバック内に収納した状態の断面図。
【図３】本発明を実施するための最良の第１の形態の正面図。
【図４】本発明を実施するための最良の第１の形態の側面図。
【図５】本発明を実施するための最良の第１の形態の背面図。
【図６】本発明を実施するための最良の第１の形態の使用状態の正面図。
【図７】本発明を実施するための最良の第１の形態の使用状態の側面図。
【図８】本発明を実施するための最良の第１の形態の小物取付具としての両面接着テープの説明図。
【図９】本発明を実施するための第２の形態の正面図。
【図１０】本発明を実施するための第２の形態の側面図。
【図１１】本発明を実施するための第２の形態の背面図。
【図１２】本発明を実施するための第２の形態の使用状態の正面図。
【図１３】本発明を実施するための第３の形態の正面図。
【図１４】本発明を実施するための第３の形態の側面図。
【図１５】小物取付具としての両面接着テープの説明図。
【図１６】本発明を実施するための第４の形態の正面図。
【図１７】本発明を実施するための第４の形態の側面図。
【図１８】本発明を実施するための第４の形態の使用状態の正面図。
【図１９】本発明を実施するための第５の形態の正面図。
【図２０】図１９の２０−２０線に沿う断面図。
【図２１】本発明を実施するための第５の形態の小物を取付けた状態の縦断面図。
【図２２】本発明を実施するための第６の形態の正面図。
【図２３】本発明を実施するための第６の形態の側面図。
【図２４】本発明を実施するための第６の形態の小物取付具の説明図。
【図２５】本発明を実施するための第６の形態の使用状態の正面図。
【符号の説明】
【００２８】
１、１Ａ、１Ｂ、１Ｃ、１Ｄ、１Ｅ：バック用小物整理具、
２：バック、                  ３：支持体本体、
４：切り欠き、                ５：引き出し用の突片、    
６：カバー、                  ７、７Ａ：支持体、
８：剥離紙、            
９、９Ａ、９Ｂ：小物取付具としての両面接着テープ、
１０：両面接着テープ収納ポケット、
１１：小物、                  １２：切り欠き、
１３：小物接着面、            １４：支持体本体接着面、
１５：輪郭、                  １６：コンパクト、
１７：コンパクト支持ケース、  １８：筆記具、
１９：筆記具支持具、          ２０：小物取付具。
【図１】
2010082343.tif 000003
【図２】
2010082343.tif 000004
【図３】
2010082343.tif 000005
【図４】
2010082343.tif 000006
【図５】
2010082343.tif 000007
【図６】
2010082343.tif 000008
【図７】
2010082343.tif 000009
【図８】
2010082343.tif 000010
【図９】
2010082343.tif 000011
【図１０】
2010082343.tif 000012
【図１１】
2010082343.tif 000013
【図１２】
2010082343.tif 000014
【図１３】
2010082343.tif 000015
【図１４】
2010082343.tif 000016
【図１５】
2010082343.tif 000017
【図１６】
2010082343.tif 000018
【図１７】
2010082343.tif 000019
【図１８】
2010082343.tif 000020
【図１９】
2010082343.tif 000021
【図２０】
2010082343.tif 000022
【図２１】
2010082343.tif 000023
【図２２】
2010082343.tif 000024
【図２３】
2010082343.tif 000025
【図２４】
2010082343.tif 000026
【図２５】
2010082343.tif 000027